(57)【特許請求の範囲】
【請求項１】
外部に対して進退するロック部材を備え、該ロック部材を突出させて相手方のキャッチャー部に挿入することで施錠し、キャッチャー部から該ロック部材を後退させることで開錠する電動ロックユニットであって、
上記ロック部材を貫通保持するユニットハウジングと、
回転軸を中心として回転するように構成した回転部材と、
一方の端部を上記回転部材に固定してあると共に他方の端部を上記ロック部材に固定してあり、かつ、上記回転軸の外周側に巻回したコイルばねと、
上記回転部材を回転駆動する電動モータとを有しており、
上記ロック部材は、上記コイルばねを介して伝達された上記回転軸の回転に応じて該回転軸に対して略直交する方向に進退し、
施錠位置のロック部材は、上記キャッチャー部側とは反対側に向けて上記ユニットハウジングから突出する部分を有し、該突出する部分を介して開錠位置に向けて変位させるための外部操作を受付可能であると共に、
上記突出する部分を介して上記外部操作が行われたとき、上記コイルばねの巻回方向の弾性変形あるいは巻回逆方向の弾性変形に応じて上記回転軸の回転とは独立して開錠位置まで変位し得ることを特徴とする電動ロックユニット。
【請求項２】
請求項１において、上記電動モータと上記回転部材とは、上記電動モータから上記回転部材に向けて回転運動を減速して伝達するギア機構を介して連結してあることを特徴とする電動ロックユニット。
【請求項３】
請求項１又は２において、上記突出する部分には、上記外部操作を実行する外部ユニットに係合するピンが設けられていることを特徴とする電動ロックユニット。
【請求項４】
開閉ドアを備えたロッカーであって、
外部に対して進退するロック部材を備え、該ロック部材の突出あるいは後退により施錠、開錠を切り替える電動ロックユニットと、
該電動ロックユニットのロック部材に係合する係合部材と、
該係合部材を駆動し得るように構成したロック機構であるサブロックユニットとを有しており、
上記電動ロックユニットは、回転軸を中心として回転するように構成した回転部材と、
一方の端部を上記回転部材に固定してあると共に他方の端部を上記ロック部材に固定してあり、かつ、上記回転軸の外周側に巻回したコイルばねと、
上記回転部材を回転駆動する電動モータとを有し、
上記回転軸に対して略直交する方向に進退する上記ロック部材を外方に向けて前進させることにより上記開閉ドアの開閉を禁止し得るように構成してあり、
上記サブロックユニットは、上記電動ロックユニットのコイルばねの弾性力に対抗して上記ロック部材を後退させるよう、上記係合部材を駆動するように構成してあることを特徴とするロッカー。
【請求項５】
２以上の複数のロック機構を含む電動ロックシステムであって、
上記ロック機構として、外部に対して進退するロック部材を備え、該ロック部材の突出あるいは後退により施錠、開錠を切り替える電動ロックユニットを有すると共に、
該各電動ロックユニットを制御する制御手段を有し、
上記電動ロックユニットは、回転軸を中心として回転するように構成した回転部材と、
一方の端部を上記回転部材に固定してあると共に他方の端部を上記ロック部材に固定してあり、かつ、上記回転軸の外周側に巻回したコイルばねと、
上記回転部材を回転駆動する電動モータとを有し、
上記回転軸に対して略直交する方向に進退するように構成してあることを特徴とする電動ロックシステム。
【発明の詳細な説明】
【技術分野】
【０００１】
本発明は、電気的に開錠、施錠を切り替え可能なロックユニットであって、主として、ロッカーなどのオフィス家具に適した電動ロックユニットに関する。
【背景技術】
【０００２】
従来より、ロックボルトを進退させるロックユニットにおいて、例えば、電気的にロックボルトを駆動するように構成したものがある（例えば、特許文献１参照。）このような電動ロックユニットによれば、例えば、暗証番号の入力等により開錠、施錠することができる。また、例えば、複数台のロッカーの各電動ロックユニットについて、集中制御により一斉に開錠あるいは施錠することもできる。
【０００３】
しかしながら、上記従来の電動ロックユニットでは、次のような問題があった。すなわち、例えば、暗証番号を忘れてしまったとき等、強制開錠が必要な場合に、他の方法による開錠が困難であり、ユーザー側の利便性を十分に確保できないおそれがあった。
【０００４】
【特許文献１】特開２００１−２５０３６８号公報
【発明の開示】
【発明が解決しようとする課題】
【０００５】
本発明は、上記従来の問題点に鑑みてなされたものであり、強制的な開錠を可能とした電動ロックユニット、これを利用したロッカー及び電動ロックシステムを提供しようとするものである。
【課題を解決するための手段】
【０００６】
本発明は、外部に対して進退するロック部材を備え、該ロック部材を突出させて相手方のキャッチャー部に挿入することで施錠し、キャッチャー部から該ロック部材を後退させることで開錠する電動ロックユニットであって、
上記ロック部材を貫通保持するユニットハウジングと、
回転軸を中心として回転するように構成した回転部材と、
一方の端部を上記回転部材に固定してあると共に他方の端部を上記ロック部材に固定してあり、かつ、上記回転軸の外周側に巻回したコイルばねと、
上記回転部材を回転駆動する電動モータとを有しており、
上記ロック部材は、上記コイルばねを介して伝達された上記回転軸の回転に応じて該回転軸に対して略直交する方向に進退し、
施錠位置のロック部材は、上記キャッチャー部側とは反対側に向けて上記ユニットハウジングから突出する部分を有し、該突出する部分を介して開錠位置に向けて変位させるための外部操作を受付可能であると共に、
上記突出する部分を介して上記外部操作が行われたとき、上記コイルばねの巻回方向の弾性変形あるいは巻回逆方向の弾性変形に応じて上記回転軸の回転とは独立して開錠位置まで変位し得ることを特徴とする電動ロックユニットにある（請求項１）。
【０００７】
第１の発明の電動ロックユニットは、上記ロック部材と上記回転部材との間に、上記コイルばねを配置してある。このコイルばねは、上記一方の端部を上記回転部材に固定し、かつ、上記他方の端部を上記ロック部材に固定したものである。
そのため、上記電動ロックユニットでは、上記コイルばねに弾性変形を生じさせることにより、上記回転部材の回転位置を変更させることなく上記ロック部材を進退させることができる。
【０００８】
以上のように、上記第１の発明の電動ロックユニットによれば、上記回転部材及び上記電動モータを回転させることなく上記ロック部材を駆動でき、該ロック部材を駆動することで強制的な開錠が可能である。
【０００９】
第２の発明は、開閉ドアを備えたロッカーであって、
外部に対して進退するロック部材を備え、該ロック部材の突出あるいは後退により施錠、開錠を切り替える電動ロックユニットと、
該電動ロックユニットのロック部材に係合する係合部材と、
該係合部材を駆動し得るように構成したロック機構であるサブロックユニットとを有しており、
上記電動ロックユニットは、回転軸を中心として回転するように構成した回転部材と、
一方の端部を上記回転部材に固定してあると共に他方の端部を上記ロック部材に固定してあり、かつ、上記回転軸の外周側に巻回したコイルばねと、
上記回転部材を回転駆動する電動モータとを有し、
上記回転軸に対して略直交する方向に進退する上記ロック部材を外方に向けて前進させることにより上記開閉ドアの開閉を禁止し得るように構成してあり、
上記サブロックユニットは、上記電動ロックユニットのコイルばねの弾性力に対抗して上記ロック部材を後退させるよう、上記係合部材を駆動するように構成してあることを特徴とするロッカーにある（請求項４）。
【００１０】
上記第２の発明のロッカーは、上記第１の発明の電動ロックユニットと、上記係合部材を駆動するための上記サブロックユニットとを備えたものである。このサブロックユニットは、上記係合部材を駆動することにより上記電動ロックユニットの上記ロック部材を後退させ得るように構成してある。したがって、上記ロッカーでは、上記サブロックユニットを利用して、上記電動ロックユニットによる施錠状態から開錠状態へ強制的に移行させることができる。ここで、上記サブロックユニットは、ロック機構を介して上記係合部材の駆動を許容し得るものである。そのため、このサブロックユニットによれば、ロッカーが容易に開錠されるおそれを抑制しつつ、その防犯性を高く維持することができる。
【００１１】
以上のように上記第２の発明のロッカーでは、上記サブロックユニットを利用して、上記電動ロックユニットによる施錠状態を強制的に開錠状態に変更し得る。上記ロッカーは、防犯性を高く維持しながら、強制開錠を可能とした利便性の高いものである。
【００１２】
第３の発明は、２以上の複数のロック機構を含む電動ロックシステムであって、
上記ロック機構として、外部に対して進退するロック部材を備え、該ロック部材の突出あるいは後退により施錠、開錠を切り替える電動ロックユニットを有すると共に、
該各電動ロックユニットを制御する制御手段を有し、
上記電動ロックユニットは、回転軸を中心として回転するように構成した回転部材と、
一方の端部を上記回転部材に固定してあると共に他方の端部を上記ロック部材に固定してあり、かつ、上記回転軸の外周側に巻回したコイルばねと、
上記回転部材を回転駆動する電動モータとを有し、
上記回転軸に対して略直交する方向に進退するように構成してあることを特徴とする電動ロックシステムにある（請求項５）。
【００１３】
上記第３の発明の電動ロックシステムは、上記第１の発明の電動ロックユニットを複数、有すると共に、該各電動ロックユニットを制御する制御手段を備えたものである。この電動ロックシステムによれば、上記制御手段を利用して上記各電動ロックユニットを集中制御することができる。上記電動ロックユニットは、上記のごとく強制的に上記ロック部材を後退させて開錠することが可能である。そのため、上記電動ロックシステムでは、集中制御による施錠下であっても、上記各電動ロックユニットを個別に開錠し得る。
【００１４】
このように、上記電動ロックシステムは、各電動ロックユニットを個別に開錠でき、ユーザー側の使い勝手を高く確保した優れたシステムである。
【発明を実施するための最良の形態】
【００１５】
上記第１の発明の電動ロックユニットにおいて、上記ロック部材を強制的に駆動する方法としては、例えば、特殊工具を必須とした作業工程を含む方法や、他のロック機構の解除を必要とする方法などを採用することが好ましい。この場合には、悪意をもって上記ロック部材が駆動されるのを未然に防止でき、上記電動ロックユニットの防犯性を高く維持することができる。
【００１６】
また、上記電動モータと上記回転部材とは、上記電動モータから上記回転部材に向けて回転運動を減速して伝達するギア機構を介して連結してあることが好ましい（請求項２）。
この場合には、上記ギア機構を介して上記電動モータの保持トルク（静止トルク）を増幅でき、上記回転部材の回転に要するトルクを大きく確保できる。そのため、上記ロック部材側から上記回転部材を強制的に回転させることを困難にできる。それ故、上記回転部材を回転させることなく上記ロック部材を回転し得るという上記第１の発明の作用効果が一層、有効となる。
特に、上記電動モータと上記回転部材との間に、上記電動モータ側のウォームギアと上記回転部材側の上記ウォームホィールとのギア係合箇所を設けることも良い。この場合には、上記回転部材側から上記電動モータに向けて回転運動が伝達されるおそれが極めて少ない。それ故、上記第１の発明の作用効果がさらに有効となる。
【００１７】
また、上記突出する部分には、上記外部操作を実行する外部ユニットに係合するピンが設けられていることが良い（請求項３）。
また、電気的な接点をオンオフするための接触片を備えた接点スイッチを、上記回転軸の外周側に２個一対、有してなり、
上記接触片に接触する凸部を周方向の１カ所に設けてなる略円板状部材であって、上記回転部材と共に回転するカム板を、上記各接点スイッチにそれぞれ対応して有していることが好ましい。
この場合には、上記回転部材を強制的に回転させると、その回転に伴って上記凸部と上記接触片とが接触してしまうおそれが高い。そのため、上記回転部材を静止させたまま上記ロック部材を進退させ得るという上記第１の発明の作用効果が非常に有効である。
【実施例】
【００１８】
（実施例１）
本例は、強制開錠に対応した電動ロックユニット１に関する例である。この内容について、図１〜図８を用いて説明する。
本例の電動ロックユニット１は、図１に示すごとく、外部に対して進退するロック部材１０を備え、該ロック部材１０の突出あるいは後退により開錠、施錠を切り替えるように構成したものである。
この電動ロックユニット１は、回転軸３３０を中心として回転する回転部材３３と、一方の端部を回転部材３３に固定してあると共に他方の端部をロック部材１０に固定してあり、かつ、上記回転軸３３０の外周側に巻回したコイルばね１５と、回転部材３３を回転駆動する電動モータ１１とを有している。
上記ロック部材１０は、回転軸３３０に対して略直行する方向に進退するように構成してある。
以下、この内容について詳しく説明する。
【００１９】
本例の電動ロックユニット１は、図１〜図４に示すごとく、略直方体の外形状を呈するユニットハウジング２の内部に、電動モータ１１、上記回転部材３３としての第３ギア（以下、第３ギア３３という。）を含むギア機構３、コイルばね１５等を収容したものである。この電動ロックユニット１は、ユニットハウジング２の短辺方向を貫通するように配置した略棒状のロック部材１０を有している。さらに、電動ロックユニット１では、その上面側に貫通する回転軸３３０の外周側に、２個のコンタクトスイッチ１７、１８を配設してある。
【００２０】
ユニットハウジング２は、図２に示すごとく、取り付け面をなす底板を含むケース２２と、上面をなすカバー２１とを組み合わせたものである。カバー２１及びケース２２は、ギア機構３をなす各ギア３１〜３３の回転軸３１０、３２０、３３０を支持するための回転支持部２１１〜２１３、２２１〜２２３を有する。各回転支持部２１１〜２１３、２２１〜２２３は、ユニットハウジング２の内部側に向けて突出する略円柱状の凸部であり、その中心に回転軸を収容するための穴を穿孔したものである。ケース２２とカバー２１を組み合わせたときに対向して配置される一対の回転支持部（２１１と２２１、２１２と２２２、２１３と２２３の組み合わせ。）により、各回転軸３１０、３２０、３３０を回転可能な状態で支持している。
【００２１】
電動モータ１１は、図１及び図２に示すごとく、回転シャフト１１０を備えたＤＣブラシモータである。回転シャフト１１０の先端には、ギア機構３の第１ギア３１にギア係合するウォームギア１１１を外挿してある。
ギア機構３は、電動モータ１１側の第１ギア３１と、ロック部材１０側の第３ギア３３と、中間の第２ギア３２とよりなる。本例のギア機構３は、電動モータ１１から第３ギア３３に向けて、減速比２００により回転運動を減速して伝達するように構成してある。
【００２２】
第１ギア３１は、図１及び図２に示すごとく、電動モータ１１のウォームギア１１１に係合するウォームホィール部と、該ウォームホィール部よりも小径の平歯車ギア部とよりなる略２段円柱外形状を呈するものである。第２ギア３２は、第１ギア３１の平歯車ギア部とギア係合する平歯車ギア部と、該平歯車ギア部よりも小径の平歯車ギア部とよりなる略２段円柱外形状を呈するものである。第３ギア３３は、第２ギア３２の小径の平歯車ギア部とギア係合する平歯車である。第１〜第３ギア３１〜３３は、ユニットハウジング２の内部側で回転可能な状態で支持された回転軸３１０、３２０、３３０に外挿し、該回転軸３１０、３２０、３３０と一体的に回転するように固定してある。第３ギア３３の回転軸３３０のみ、カバー２１を貫通しており、この貫通した部分には軸方向の位置を変更して２枚のカム板３３１、３３２（図４参照。）を嵌合してある。
【００２３】
ロック部材１０は、図１及び図３に示すごとく、断面略円形状を呈する略棒状の部材である。ロック部材１０は、ユニットハウジング２の外部側に向けて突出することにより、図示しない相手部材に係合するものである。ロック部材１０は、ユニットハウジング２の側面、短辺方向を貫通する状態で、軸方向に進退する。ロック部材１０の略中間部の外周面には、軸方向に略直交してケース２２に向けて突出するピン１０１を設けてある。ピン１０１は、ケース２２の下面をなす底板に穿設した長穴状のスリット２２０に収容されるように形成してある。このピン１０１は、ロック部材１０の進退に応じてスリット２２０内部を進退するように形成してある。さらに、ピン１０１は、スリット２２０に収容される先端部分と、ロック部材１０側の根元部分との間の中間部分に、コイルばね１５の端部を支持する部分を有する。
【００２４】
コイルばね１５は、図１及び図３に示すごとく、第３ギア３３の回転軸３３０の外周側、より具体的には、ケース２２側の回転支持部２２３の外周に若干の隙間を設けて巻回したものである。コイルばね１５の一方の端部は、その内周中心に向けて略９０度折り曲げられており、その先端は、当該回転軸３３０まで達している。本例では、当該一方の先端を、回転軸３３０の外周に穿孔した穴に差し込んで固定してある。コイルばね１５の他方の端部は、外周側に向けて折り曲げられている。さらに、その先端部分には、略Ｕ字状に折り返した係止部１５８を設けてある。この係止部１５８は、その折り返しの内側にロック部材１０のピン１０１を収容した状態で、ピン１０１に支持されるように構成してある。
【００２５】
２個のコンタクトスイッチ１７、１８は、図４に示すごとく、一方の端部を中心として回動する接触片１７、１８を備えた接点スイッチである。コンタクトスイッチ１７、１８は、接触片１７１、１８１を押し込むように回動させたときに電気的な接続を切断して電動モータ１１への電力供給を停止するように構成してある。本例では、上記のごとく、第３ギア３３の回転軸３３０に嵌合したカム板３３１、３３２によってコンタクトスイッチ１７、１８を動作させた。カム板３３１、３３２は、略円板状を呈する部材であり、その周方向の１カ所に外周側に向けて滑らかに突出する凸部３３１ｔ、３３２ｔを設けたものである。カム板３３１、３３２は、第３ギア３３の回転角に応じて、凸部３３１ｔ、３３２ｔが接触片１７１、１８１に接触するように構成してある。
【００２６】
本例の電動ロックユニット１では、図２及び図４に示すごとく、上記のようなコンタクトスイッチ１７、１８を、カバー２１の外側の面に２個取り付けした。本例では、カバー２１の外表面を基準とした設置高さを変更して２個のコンタクトスイッチ１７、１８を配設した。一方、上記のごとく、第３ギア３３の回転軸３３０に嵌合した２枚のカム板３３１、３３２は、その軸方向の位置を変更してある。すなわち、本例では、２枚のカム板３３１、３３２と２個のコンタクトスイッチ１７、１８とが、それぞれ、１対１に対応している。それぞれの組み合わせは、ロック部材１０の進退ストロークの両端に対応するよう、設定したものである。すなわち、ロック部材１０が進退ストロークの両端に達したときに、カム板３３１、３３２がコンタクトスイッチ１７、１８を動作させ、電動モータ１１への通電が停止される。
【００２７】
次に、以上のように構成した本例の電動ロックユニット１の機能について説明する。
まず、電動ロックユニット１の基本的な動作について説明する。電動モータ１に給電すると回転シャフト１１０が回転し、ギア機構３を介して、第３ギア３３及び回転軸３３０が回転する。回転軸３３０が回転すると、該回転軸３３０に端部を固定したコイルばね１５自体が回転し、他方の端部である係止部１５８が回動する。そして、この係止部１５８の回動動作に伴って、ロック部材１０がストロークして外部に向けて突出する。このように、ロック部材１０が突出して相手部材に係合することにより、施錠状態を形成できる。
ここで、ロック部材１０が突出しきると同時に、カム板３３１がコンタクトスイッチ１７の接触片１７１に当接する。これにより、コンタクトスイッチ１７が電動モータ１１への電気的な経路を切断し、電動モータ１１への給電が停止される。
【００２８】
一方、開錠状態を形成する場合には、他方のコンタクトスイッチ１８を経由してプラスマイナスが逆向きの電流を電動モータ１１に作用する。そうすると、電動モータ１１が逆向きに回転して、第３ギア３３及び回転軸３３０が逆向きに回転する。そして、回転軸３３０の逆回転に応じてコイルばね１５が回転し、ロック部材１０が後退する。これにより、相手部材からロック部材１０が後退して両者間の係合状態が解消されて開錠状態を形成できる。
ここで、ロック部材１０が後退しきると同時に、カム板３３２がコンタクトスイッチ１８の接触片１８１に当接する（図４に示す状態。）。これにより、コンタクトスイッチ１８が電動モータ１１への電気的な経路を切断し、電動モータ１１が停止する。
【００２９】
次に、施錠状態にある電動ロックユニット１を強制開錠する方法について説明する。本例の電動ロックユニット１では、ロック部材１０と第３ギア３３の回転軸３３０との間にコイルばね１５を介設してある。そのため、ロック部材１０に外力を作用すれば、コイルばね１５の弾性力に対抗してロック部材１０を後退させることが可能である。例えば、この電動ロックユニット１を装着した事務用のロッカーなどでは、外部からロック部材１０にアクセスするためのメンテナンス板等を設けるのが良い。この場合には、ボルト止め等されたメンテナンス板を取り外すことで、ロック部材１０へのアクセスが可能となり、強制開錠が可能になる。ここで、メンテナンス板を固定するボルトとしては、トルクスレンチなど特殊工具によってのみ取り外し可能なものや、専用工具によってのみしか取り外しできないものを採用することが好ましい。この場合には、強制開錠の作業容易性と、防犯性とを高いレベルで両立させることができる。
【００３０】
以上のように、本例の電動ロックユニット１は、ロック部材１０と電動モータ１１との間にコイルばね１５を介設することで、強制的な開錠を可能にしたものである。本例の電動ロックユニット１の用途としては、事務用家具や、家庭用家具や、建物の戸口あるいは窓など、広い範囲に属する様々なものがある。
なお、本例の電動ロックユニット１の基本構造を維持ながら、図５〜図８に示すごとくコイルばね１５をユニットハウジング２の外部に配置した電動ロックユニット１を実現することもできる。このようにコイルばね１５を外部に配置する場合には、狭い空間で操作させることができるというメリットを生じる。
【００３１】
（実施例２）
本例は、実施例１の電動ロックユニットを基にして、強制開錠の方法を変更した例である。この内容について、図９を用いて説明する。
本例の電動ロックユニット１は、第３ギア３３に対して所定の回転方向の付勢力を作用してあると共に、電動モータ１１から第３ギア３３に至るギア係合状態を断続可能なように構成したものである。この電動ロックユニット１では、電動モータ１１から第３ギア３３を切り離したとき、ロック部材１０が後退（開錠側。）するように第３ギア３３に回転を生じる。
【００３２】
まず、電動モータ１１から第３ギア３３に至るギア係合状態を切断する機構について説明する。本例の電動ロックユニット１は、カバー２１を貫通して外部に向けて突出する第２ギア３２の回転軸３２０と、この回転軸３２０を押し込むための進退プレート４０とを有している。電動ロックユニット１では、回転軸３２０を押し込むことにより、電動モータ１１から第３ギア３３に至るギア係合状態を切断可能なように構成してある。
【００３３】
具体的には、本例では、実施例１の電動ロックユニット１を基にして、第１ギア３１及び第２ギア３２の上下方向を反転してある。すなわち、第１ギア３１ではウォームホィール部３１ａが同図中上側（カバー２１側。）に位置し、小径の平歯車ギア部３１ｂが同図中下側（ケース２２側。）に位置している。また、第２ギア３２では、第３ギア３３にギア係合する小径の平歯車ギア３２ａが同図中上側に位置し、第１ギア３１にギア係合する大径の平歯車３１ｂが同図中下側に位置している。第１ギア３１と第２ギア３２との間の上記のようなギア係合構造では、第２ギア３２をケース側２１に押し下げすることで両者間のギア係合をキャンセルできる。そして、本例の電動ロックユニット１は、第１ギア３１と第２ギア３２との間のギア係合をキャンセルすることで、電動モータ１１から第３ギア３３に至るギア係合状態を切断できるように構成したものである。
【００３４】
本例の電動ロックユニット１では、第２ギア３２とケース２２との間に、ばね４４を配設してある。このばね４４は、その付勢力により、第２ギア３２を同図中上側（カバー２１側。）に向けて付勢するものである。それ故、電動ロックユニット１では、回転軸３２０に押し込み力が作用しないとき、このばね４４の付勢力により第２ギア３２を押し上げでき、第１ギア３１と第２ギアとのギア係合を保持し得る。
【００３５】
上記進退プレート４０は、略平板状の摺動プレート部４２と、該摺動プレート部４２と所定の角度をなすように延設された略平板状の押圧プレート部４１とよりなる。進退プレート４０は、カバー２１の外表面に設けたホルダ部４３により保持され、カバー２１の外表面に沿って摺動する部分である。押圧プレート部４１は、摺動プレート部４２とは反対側の先端に向かって次第にカバー２１との距離が拡大するように形成してある。すなわち、この進退プレート４０によれば、その前進位置において、押圧プレート部４１により回転軸３２０を押し込ことができる。一方、後退位置に位置した進退プレート４０は、回転軸３２０に対して押し込み力を作用しない。
【００３６】
さらに、本例の電動ロックユニット１では、コイルばね１５の付勢力が第３ギア３３に作用している。この付勢力は、ロック部材１０を後退させる回転方向に第３ギア３３を回転させようとするものである。すなわち、第３ギア３３は、回転自在の状態では、コイルばね１５の付勢力により回転を生じる。そして、電動ロックユニット１では、このような第３ギア３３の回転に応じてロック部材１０が後退する。
【００３７】
以上のように構成した電動ロックユニット１では、回転軸３２０に上記押し込み力が作用しないとき、上記のごとくばね４４の付勢力により第２ギア３２を押し上げでき、これにより第１ギア３１と第２ギア３２とのギア係合を保持できる。一方、回転軸３２０に対して上記押し込み力を作用すると第２ギア３２をケース２２側に押し下げでき、第１ギア３１と第２ギア３２との間のギア係合をキャンセルできる。そして、このようにギア係合をキャンセルすることにより、電動モータ１１から第３ギア３３に至るギア係合状態を切断することができる。
【００３８】
電動モータ１１から切り離しされて回転自在になった第３ギア３３は、上記のごとくコイルばね１５の付勢力により回転する。コイルばね１５から第３ギア３３に作用する付勢力は、上記のごとくロック部材１０を後退させる回転方向に作用する力である。それ故、第１ギア３１と第２ギア３２とのギア係合をキャンセルすれば、ロック部材１０を後退させ強制開錠を実現し得る。
なお、その他の構成及び作用効果については実施例１と同様である。
【００３９】
（実施例３）
本例は、実施例１の電動ロックユニット１を装着した事務用のロッカー６に関する例である。この内容について、図１０を用いて説明する。
本例のロッカー６は、施錠可能な開閉ドア６１を備えたものである。
このロッカーは、実施例１と略同一仕様の電動ロックユニット１と、この電動ロックユニット１のロック部材１０に係合する係合部材５５と、係合部材５５を駆動するように構成したロック機構であるサブロックユニット５とを有している。
電動ロックユニット１０は、ロック部材１０を外方に向けて前進させることにより開閉ドア６１の開閉を禁止し得るように構成してある。
そして、サブロックユニット５は、電動ロックユニット１のコイルばね１５（図１〜図３参照。）の弾性力に対抗してロック部材１０を後退させるように係合部材５５を駆動するように構成してある。
以下に、この内容について詳しく説明する。
【００４０】
本例のロッカー６は、開閉ドア６１側のロック部材１０を枠体６２のキャッチャー部６２０に挿入することで、施錠状態を設定するように構成したものである。
本例の電動ロックユニット１は、ロック部材１０の端部が延長されており、当該延長された部分にピン１０８を設けた点を除いて実施例１と全く同一の仕様のものである。
そして、係合部材５５は、ピン１０８に係合する係合溝５５０を軸方向に延設した断面略円形状を呈する棒状のものである。
【００４１】
本例のサブロックユニット５は、鍵（図示略）を挿入する鍵穴５２０を備えたシリンダー５２と、鍵を挿入した状態で回転し得るデッドカム５１とを備えたものである。デッドカム５１は、係合部材５５に係合して、該係合部材５５を進退させるための係合部５１０を有している。
なお、サブロックユニット５としては、本例の機械式のものに代えて、暗証番号を入力するように構成した電子式のものや、指紋認証等の生体認証を利用した電子式のものなどを採用することもできる。
【００４２】
以上のように構成した本例のロッカー６の施錠、開錠について説明する。
図１０に示すごとくデッドカム５１が位置しているときには、係合部材５５の係合溝５５０内をピン１０８が進退することにより、ロック部材１０が自由に進退できる。すなわち、電動ロックユニット１による施錠あるいは開錠を自由に行うことができる。一方、電動ロックユニット１による施錠状態では、シリンダー５の鍵穴５２０に鍵を挿入してデッドカム５１を回すことで以下のように強制的に開錠させることができる。
【００４３】
デッドカム５１を右回転（図中、矢印の方向。）させると、係合部５１０が同図中、上方向に変位し、それに伴って係合部材５５を上方向にストロークさせることができる。ここで、電動ロックユニット１による施錠状態では、図１０に示すごとく、ロック部材１０のピン１０８が、係合部材５５の係合溝５５０の下端に位置している。そのため、係合部材５５を上方向にストロークさせると、ピン１０８と係合溝５５０の内周端面との当接により、ロック部材１０を上方向にストロークさせようとする力が生じる。
【００４４】
本例の電動ロックユニット１では、実施例１と同様、ロック部材１０と第３ギア３３（図２参照。）との間にコイルばね１５を介設してある。それ故、上記のごとくデッドカム５１を回転させれば、コイルばね１５の弾性変形を伴いながら、ロック部材１０を上方向にストロークさせることができる。そして、これにより、枠体６２のキャッチャー部６２０からロック部材１０を引き抜くことにより強制的に開錠することができる。
なお、その他の構成及び作用効果については実施例１と同様である。
【００４５】
（実施例４）
本例は、実施例２のロッカーを複数、組み合わせたシステムロッカーに適用する電動ロックシステム７に関する例である。この内容について、図１１を用いて説明する。
本例の電動ロックシステム７は、複数の電動ロックユニット１と、各電動ロックユニット１を制御する制御手段としての集中制御装置７１とを有している。この電動ロックシステム７では、通信ネットワーク７０を介して集中制御装置７１と電動ロックユニット１とを通信可能な状態で接続してある。
【００４６】
本例の電動ロックシステム７では、例えば、朝の一斉開錠時刻と夕の一斉施錠時刻とを設定できる。夕の施錠時刻から朝の開錠時刻までの時間帯（以下、単に、時間外という。）において、原則的にロッカーの使用を禁止することで防犯性を高く確保することができる。一方、本例の電動ロックシステム７では、実施例２で説明したごとく、鍵を使えば電動ロックユニット１を個別に開錠することができる。
【００４７】
それ故、本例の電動ロックシステム７では、時間外であっても、鍵を利用すれば電動ロックユニット１を個別に開錠できる。すなわち、この電動ロックシステム７は、時間外の一斉施錠状態を設定でき、かつ、鍵があれば個々の電動ロックユニット１を開錠し得るものである。この電動ロックシステム７は、高い防犯性と、ユーザの利便性を兼ね備えた優れたシステムである。
なお、その他の構成及び作用効果については、実施例２と同様である。
【図面の簡単な説明】
【００４８】
【図１】実施例１における、電動ロックユニットの構造を示す断面図。
【図２】実施例１における、電動ロックユニットの構造を示す断面図。
【図３】実施例１における、電動ロックユニットを示す下面図。
【図４】実施例１における、電動ロックユニットを示す上面図。
【図５】実施例１における、その他の電動ロックユニットの構造を示す断面図。
【図６】実施例１における、その他の電動ロックユニットの構造を示す断面図。
【図７】実施例１における、その他の電動ロックユニットを示す下面図。
【図８】実施例１における、その他の電動ロックユニットを示す上面図。
【図９】実施例２における、電動ロックユニットの構造を示す断面図。
【図１０】実施例３における、ロッカーの錠構造を示す断面図（内部側から電動ロックユニット等を見た図。）。
【図１１】実施例４における、電動ロックシステムの構成を示すブロック図。
【符号の説明】
【００４９】
１  電動ロックユニット
１０  ロック部材
１１  電動モータ
１５  コイルばね
２  ユニットハウジング
２１  カバー
２２  ケース
３  ギア機構
３１  第１ギア
３２  第２ギア
３３  回転部材（第３ギア）
３３０  回転軸
【図１】
0004723970.tif 000002
【図２】
0004723970.tif 000003
【図３】
0004723970.tif 000004
【図４】
0004723970.tif 000005
【図５】
0004723970.tif 000006
【図６】
0004723970.tif 000007
【図７】
0004723970.tif 000008
【図８】
0004723970.tif 000009
【図９】
0004723970.tif 000010
【図１０】
0004723970.tif 000011
【図１１】
0004723970.tif 000012